(57)【要約】【課題】雨樋を流れる雨水を利用して連続的かつ安定した音などを発生させて、大雨の警告やリラクゼーション効果などを実現することができる報知装置付き竪樋を提供すること。【解決手段】給水手段２と報知装置３とを備え、前記給水手段２は、竪樋Ａ内に配設されており、竪樋Ａ内を流れる雨水の一部を集水して前記報知装置３に供給可能であり、前記報知装置３は、前記給水手段２から供給された雨水によって音を発生する報知装置付き竪樋１とする。【選択図】図１
2015148133.tif 000002
【特許請求の範囲】
【請求項１】
給水手段と報知装置とを備えた報知装置付き竪樋であって、
前記給水手段は、竪樋内に配設されており、竪樋内を流れる雨水の一部を集水して前記報知装置に供給可能であり、前記報知装置は、前記給水手段から供給された雨水によって音または光のうちの少なくともいずれかを発生させることを特徴とする報知装置付き竪樋。
【請求項２】
前記給水手段は、一定量の雨水を滴下して前記報知装置へ供給する定量滴下部を備えることを特徴とする請求項１に記載の報知装置付き竪樋。
【請求項３】
前記報知装置は、前記給水手段から供給された雨水を受けて駆動する駆動部と、この駆動部の駆動に伴って音を発生させる発音部とを備えることを特徴とする請求項１または２に記載の報知装置付き竪樋。
【請求項４】
前記報知装置は、前記給水手段から供給された雨水を受けて駆動する駆動部と、この駆動部の駆動によって電気を発生させる発電部とを備え、前記発電部で発生させた電気によって音または光のうちの少なくともいずれかを発生させることを特徴とする請求項１または２の報知装置付き竪樋。
【発明の詳細な説明】
【技術分野】
【０００１】
本発明は、報知装置付き竪樋に関する。
【背景技術】
【０００２】
従来より、生活に潤いを与えることを目的として、雨樋からの雨水を利用して音を発生させる試みがなされている。
【０００３】
例えば引用文献１には、雨樋に設けた複数の小孔の下に共鳴管を備えた楽器を配置し、小孔から滴下する雨水の水滴によって共鳴管から音を発生させる方法が記載されている。
【０００４】
また、本出願人は、特許文献２において、軒樋から垂下する雨水タンクの外部に鳴動装置を設け、雨水タンクからオーバーフローした雨水が鳴動装置を通る際に音を発生させることができる鳴動装置付雨水タンクを提案している。
【先行技術文献】
【特許文献】
【０００５】
【特許文献１】特開2001−306060号公報
【特許文献２】特開2007−170023号公報
【発明の概要】
【発明が解決しようとする課題】
【０００６】
しかしながら、引用文献１の方法の場合、雨樋の小孔から水滴がランダムに滴下するため、楽器から発する音の連続性や安定性に乏しく、雑然とした印象を与えやすいという問題がある。また、特許文献２の鳴動装置付雨水タンクの場合、雨水タンクからオーバーフローする水量が一定ではないため、鳴動装置から発生する音の連続性や強弱の安定性、心地良さなどについてさらなる改善の余地があると考えられた。
【０００７】
このように、雨樋を流れる雨水を利用して、連続的に安定した音を発生させるための新しい装置や工夫が望まれている。
【０００８】
また、引用文献１、２では、雨樋からの雨水を利用して、音以外の方法によって大雨の警告をすることやリラクゼーション効果などを実現することについては十分な検討がなされていない。例えば、雨樋からの雨水を利用して、安定的に視覚に訴える演出などをすることができれば、大雨の警告やリラクゼーション効果などを実現することができ、竪樋に付加価値を与えることができると考えられる。
【０００９】
本発明は、以上のとおりの事情に鑑みてなされたものであり、雨樋を流れる雨水を利用して連続的かつ安定した音などを発生させて、大雨の警告やリラクゼーション効果などを実現することができる報知装置付き竪樋を提供することを課題としている。
【課題を解決するための手段】
【００１０】
本発明の報知装置付き竪樋は、給水手段と報知装置とを備えた報知装置付き竪樋であって、前記給水手段は、竪樋内に配設されており、竪樋内を流れる雨水の一部を集水して前記報知装置に供給可能であり、前記報知装置は、前記給水手段から供給された雨水によって音または光のうちの少なくともいずれかを発生させることを特徴としている。
【００１１】
この報知装置付き竪樋では、前記給水手段は、一定量の雨水を滴下して前記報知装置へ供給する定量滴下部を備えることが好ましい。
【００１２】
この報知装置付き竪樋では、前記報知装置は、前記給水手段から供給された雨水を受けて駆動する駆動部と、この駆動部の駆動に伴って音を発生させる発音部とを備えることがより好ましい。
【００１３】
この報知装置付き竪樋では、前記報知装置は、前記給水手段から供給された雨水を受けて駆動する駆動部と、この駆動部の駆動によって電気を発生させる発電部とを備え、前記発電部で発生させた電気によって音または光のうちの少なくともいずれかを発生させることがより好ましい。
【発明の効果】
【００１４】
本発明の報知装置付き竪樋によれば、雨樋（竪樋）を流れる雨水を利用して、連続的かつ安定した音などによって、大雨の警告やリラクゼーション効果などを実現することができる。
【図面の簡単な説明】
【００１５】
【図１】本発明の報知装置付き竪樋の第１実施形態を例示した縦断面概要図である。
【図２】本発明の報知装置付き竪樋の第２実施形態を例示した縦断面概要図である。
【図３】図２に示した報知装置付き竪樋の矢印Ｙ方向から視た場合の縦断面概要図である。
【図４】本発明の報知装置付き竪樋の第３実施形態を例示した縦断面概要図である。
【図５】本発明の報知装置付き竪樋の第４実施形態を例示した縦断面概要図である。
【図６】本発明の報知装置付き竪樋の第５実施形態を例示した縦断面概要図である。
【発明を実施するための形態】
【００１６】
図１は、本発明の報知装置付き竪樋の第１実施形態を例示した縦断面概要図である。
【００１７】
報知装置付き竪樋１は、給水手段２と報知装置３とを備えている。
【００１８】
給水手段２は、竪樋Ａ内部の壁面に配設されており、竪樋Ａ内を流れる雨水の一部を集水して報知装置３に供給可能とされている。給水手段２は筒状に形成されており、内部に集水された雨水を一時的に貯水することができる。
【００１９】
給水手段２の形態は具体的に限定されず、適宜設計することができる。例えば、給水手段２は、竪樋Ａと一体に形成されていてもよいし、別体として形成されたものを適宜な方法で固定して配設することもできる。また、給水手段２の形状や大きさなどについても、集水量や報知装置３に供給する水量などを考慮して適宜設計することができる。
【００２０】
そして、給水手段２は、一定量の雨水（水滴）を滴下して報知装置３へ供給する定量滴下部４を備えている。例えば、定量滴下部４は、給水手段２の下側に一体または別体として配設することができる。さらに、定量滴下部４の形態は特に限定されず、報知装置３へ供給する水滴の量、滴下の間隔などを考慮して適宜設計することができる。例えば、定量滴下部４は、下方先端部に向かって水平方向断面積が小さくなる先細な形状に形成することが好ましい。このような形状に定量滴下部４を設計することで、一定の間隔で一定量の雨水（水滴）を滴下することができる。
【００２１】
この実施形態の報知装置付き竪樋１では、報知装置３は、給水手段２から供給された雨水によって音を発生させる。具体的には、この報知装置３は、給水手段２から供給された雨水を受けて直接的に音を発するものである。このような報知装置３としては、例えば、ベルや鉄琴などを含むものを例示することができるが特に限定されることはない。
【００２２】
この実施形態において、報知装置３の配設位置は、給水手段２からの雨水が確実に供給される位置であればよく、竪樋Ａの内側、外側のいずれにおいても適宜な位置に配設することができる。具体的には、図１に例示したように給水手段２の下側に定量滴下部４を備える場合には、定量滴下部４から滴下する水滴の位置を考慮して定量滴下部４の下方に報知装置３を配設することができる。
【００２３】
このように、この実施形態の報知装置付き竪樋１は、給水手段２と報知装置３とを備えている。そして、給水手段２は、竪樋Ａ内に配設されており、竪樋Ａ内を流れる雨水の一部を集水して報知装置３に供給可能であり、報知装置３は、給水手段２から供給された雨水によって音を発生する。報知装置付き竪樋１は、給水手段２によって竪樋Ａ内を流れる雨水の一部を集水するため、竪樋Ａを流れる雨水の量や水流の勢いなどの影響を抑えて、雨水（水滴）を連続的かつ安定に報知装置３に供給することができる。特に、給水手段２が定量滴下部４を備えていることで、一定の間隔で一定量の雨水を滴下することができるため、報知装置３は、給水手段２からの雨水を受けて連続的に安定した音を発生させることができる。
【００２４】
そして、適宜な報知装置３を選択することで、報知装置付き竪樋１から発せられる音は、例えば、大雨の警告、虫除け、鳥除け、リラクゼーション、ヒーリングなどの効果を実現することができる。
【００２５】
図２は、本発明の報知装置付き竪樋の第２実施形態を例示した縦断面概要図である。図３は、図２に示した報知装置付き竪樋の矢印Ｙ方向から視た場合の縦断面概要図である。以下、第１実施形態と共通する部分には、同一の符号を付し、以下では説明を省略する。
【００２６】
第２実施形態の報知装置付き竪樋１における報知装置３は、給水手段２から供給された雨水を受けて間接的に音を発するものである。
【００２７】
報知装置付き竪樋１の報知装置３は、竪樋Ａ内の給水手段２の下方に配設されており、給水手段２から供給された雨水を受けて駆動する駆動部３１と、この駆動部３１の駆動に伴って音を発生させる発音部３２とを備えている。
【００２８】
駆動部３１は円盤状であり、中央の支軸Ｐを介して発音部３２と接続している。そして、駆動部３１は、給水手段２から供給された雨水の水流によって水車のように回転し、この回転による駆動力が支軸Ｐを介して発音部３２に伝達され、駆動部３１の駆動に連動して発音部３２が音を発する。発音部３２が音を発する機構は特に限定されないが、例えばオルゴールのように、ピンを有する金属の円筒を支軸Ｐからの駆動力によって回転させて、ピンが長さの異なる櫛状の金属板を押し上げ、はじくことにより音を発する機構を例示することができる。これによって、単純な音のみならず、連続したメロディを奏でることもできる。
【００２９】
この実施形態の報知装置付き竪樋１も、給水手段２によって竪樋Ａ内を流れる雨水の一部を集水するため、竪樋Ａを流れる雨水の量や水流の勢いなどの影響を抑えて、雨水（水滴）を連続的かつ安定に駆動部３１に供給することができる。したがって、駆動部３１は、安定した駆動力を維持することができるため、発音部３２は駆動部３１からの駆動力によって連続的に安定した音やメロディを発生させることができる。
【００３０】
なお、図２、図３では、報知装置３の駆動部３１および発音部３２がともに竪樋Ａ内部に配設されている形態を例示したが、この実施形態では、少なくとも報知装置３の駆動部３１が竪樋Ａ内部にあればよく、発音部３２は竪樋Ａの外側に配設されていてもよい。この場合、発音部３２からの音がより外部に届くようになる。
【００３１】
図４は、本発明の報知装置付き竪樋の第３実施形態を例示した縦断面概要図である。以下、第２実施形態と共通する部分には、同一の符号を付し、説明を省略する。
【００３２】
第３実施形態の報知装置付き竪樋１における報知装置３は、給水手段２から供給された雨水によって、光を発生させるものである。
【００３３】
報知装置３は、竪樋Ａ内の給水手段２の下方に配設されており、給水手段２から供給された雨水を受けて駆動する駆動部３１と、この駆動部３１の駆動によって電気を発生させる発電部５とを備えている。
【００３４】
駆動部３１は円盤状であり、中央の支軸Ｐを介して発電部５と接続している。そして、駆動部３１は、給水手段２から供給された雨水の水流によって水車のように回転し、この回転による駆動力が支軸Ｐを介して発電部５に伝達される。これによって、発電部５は電気を発生させて充電することができる。発電部５は、駆動部３１からの駆動力を電気に変換することができればよく、そのための公知の構成を適宜採用することができる。
【００３５】
さらに、この実施形態の報知装置付き竪樋１は、竪樋Ａの外面に、報知装置３を構成する発光部６を備えている。発光部６は発電部５と接続しており、発電部５で発生した電気によって発光する。
【００３６】
また、発光部６は、例えばＬＥＤ（発光ダイオード）照明などによって構成することができる。さらに、発光部６の形態も特に限定されず、例えば、竪樋の縦方向に沿って直線状や点線状に延びるもの、図柄が現れるものなどを例示することができる。また、例えば、発光部６が発する光も、単色、多色のいずれであってもよい。
【００３７】
この実施形態の報知装置付き竪樋１は、給水手段２から供給された雨水による駆動部３１の駆動によって発電部５が電気を発生させ、この電気によって発光部６が発光する。給水手段２によって竪樋Ａ内を流れる雨水の一部を集水するため、竪樋Ａを流れる雨水の量や水流の勢いなどに影響を抑えて、雨水（水滴）を連続的かつ安定に駆動部３１に供給することができる。したがって、駆動部３１が安定した駆動力を維持することができ、発電部５は安定的な発電が可能であるため、発光部６を安定的に発光させることができる。このような発光部６からの光によって、例えば、大雨の警告、リラクゼーション、ヒーリングなどの効果を実現することができる。
【００３８】
図５は、本発明の報知装置付き竪樋の第４実施形態を例示した縦断面概要図である。以下、第３実施形態と共通する部分には、同一の符号を付し、説明を一部省略する。
【００３９】
第４実施形態の報知装置付き竪樋１における報知装置３は、給水手段２から供給された雨水を受けて駆動する駆動部３１と、この駆動部３１の駆動によって電気を発生させる発電部５とを備えている。そして、この実施形態の報知装置付き竪樋１は、竪樋Ａの外面に、報知装置３を構成する発音部３２を備えている。発音部３２は発電部５と接続しており、発電部５で発生した電気によって音を発する。
【００４０】
この実施形態の報知装置付き竪樋１は、給水手段２によって竪樋Ａ内を流れる雨水の一部を集水するため、竪樋Ａを流れる雨水の量や水流の勢いなどに影響を抑えて、雨水（水滴）を連続的かつ安定に駆動部３１に供給することができる。したがって、駆動部３１が安定した駆動力を維持することができ、発電部５は安定的な発電が可能であるため、発音部３２から連続的に安定した音やメロディを発生させることができる。
【００４１】
図６は、本発明の報知装置付き竪樋の第５実施形態を例示した縦断面概要図である。以下、第３実施形態と共通する部分には、同一の符号を付し、説明を一部省略する。
【００４２】
第５実施形態の報知装置付き竪樋１における報知装置３は、給水手段２から供給された雨水を受けて駆動する駆動部３１と、この駆動部３１の駆動によって電気を発生させる発電部５とを備えている。そして、この実施形態の報知装置付き竪樋１は、竪樋Ａの外面に、報知装置３を構成する発音部３２と発光部６とが併設されている。発音部３２および発光部６は、発電部５と接続しており、発電部５で発生した電気によって、発音部３２は音を発生させ、また、発光部６は発光する。
【００４３】
この実施形態の報知装置付き竪樋１は、給水手段２によって竪樋Ａ内を流れる雨水の一部を集水するため、竪樋Ａを流れる雨水の量や水流の勢いなどに影響を抑えて、雨水（水滴）を連続的かつ安定に駆動部３１に供給することができる。したがって、駆動部３１が安定した駆動力を維持することができ、発電部５は安定的な発電が可能であるため、発音部３２から連続的に安定した音やメロディを発生させることができる。同様に、発電部５による安定的な発電が可能であることから、発光部６も安定的に発光させることができる。
【００４４】
本発明の報知装置付き竪樋は、以上の形態に限定されることはない。例えば、第２実施形態で説明した報知装置の駆動部および発音部は様々な形態に設計することができ、報知装置には、例えば添水（ししおどし）のように、駆動部と発音部が離間して配置されているものなども含まれる。
【符号の説明】
【００４５】
１    報知装置付き竪樋
２    給水手段
３    報知装置
３１  駆動部
３２  発音部
４    定量滴下部
５    発電部
Ａ    竪樋
【図１】
2015148133.tif 000003
【図２】
2015148133.tif 000004
【図３】
2015148133.tif 000005
【図４】
2015148133.tif 000006
【図５】
2015148133.tif 000007
【図６】
2015148133.tif 000008